(57)【要約】  ハット形鋼矢板は、長手方向に直交する断面において、奥行き方向の第１の側で幅方向に沿って延びるウェブと、ウェブの幅方向の両端部から幅方向の両側、かつ奥行き方向の第２の側に向かって延びる１対のフランジと、奥行き方向の第２の側で１対のフランジのそれぞれの端部から幅方向に沿って、かつ幅方向の両側に向かって延びる１対のアームと、１対のアームのそれぞれの１対のフランジとは反対側の端部に形成される嵌合継手とを備える。断面におけるハット形鋼矢板の断面積Ａｅ（ｃｍ２）と、ハット形鋼矢板の有効幅Ｗ（ｃｍ）と、ハット形鋼矢板の高さＨ（ｃｍ）とは、以下の式（ｉ）の関係を満たし、有効幅Ｗは１１０ｃｍ以上である。  Ａｅ／（Ｗ・Ｈ）≧０．０４  ・・・（ｉ）
2020045114.tif 000002
【特許請求の範囲】
【請求項１】
ハット形鋼矢板であって、
長手方向に直交する断面において、奥行き方向の第１の側で幅方向に沿って延びるウェブと、前記ウェブの前記幅方向の両端部から前記幅方向の両側、かつ前記奥行き方向の第２の側に向かって延びる１対のフランジと、前記奥行き方向の第２の側で前記１対のフランジのそれぞれの端部から前記幅方向に沿って、かつ前記幅方向の両側に向かって延びる１対のアームと、前記１対のアームのそれぞれの前記１対のフランジとは反対側の端部に形成される嵌合継手とを備え、
前記断面における前記ハット形鋼矢板の断面積Ａｅ（ｃｍ２）と、前記ハット形鋼矢板の有効幅Ｗ（ｃｍ）と、前記ハット形鋼矢板の高さＨ（ｃｍ）とが、以下の式（ｉ）の関係を満たし、前記有効幅Ｗが１１０ｃｍ以上であるハット形鋼矢板。
Ａｅ／（Ｗ・Ｈ）≧０．０４  ・・・（ｉ）
【請求項２】
前記有効幅Ｗが１３５ｃｍ以上である、請求項１に記載のハット形鋼矢板。
【請求項３】
高さＨが４５ｃｍ以下である、請求項１または請求項２に記載のハット形鋼矢板。
【請求項４】
前記断面における前記断面積Ａｅ（ｃｍ２）と、前記有効幅Ｗ（ｃｍ）と、前記高さＨ（ｃｍ）とが、以下の式（ii）の関係を満たす、請求項１から請求項３のいずれか１項に記載のハット形鋼矢板。
Ａｅ／（Ｗ・Ｈ）≦０．０４８  ・・・（ii）
【請求項５】
請求項１から請求項４のいずれか１項に記載のハット形鋼矢板を用いた鋼矢板壁の製造方法であって、
前記ハット形鋼矢板の前記嵌合継手のうちの一方のみを先行して打設された鋼矢板の嵌合継手に嵌合させながら前記ハット形鋼矢板を地中に打設する工程を含む鋼矢板壁の製造方法。
【発明の詳細な説明】
【技術分野】
【０００１】
本発明は、ハット形鋼矢板および鋼矢板壁の製造方法に関する。
【背景技術】
【０００２】
ハット形鋼矢板は、土木建築工事において、土留めや止水のための壁体を構築するために広く利用されている。ハット形鋼矢板は打設時に地盤に貫入させられるため、貫入抵抗をより小さくすることによって施工性を向上させる技術が提案されている。例えば、特許文献１では、ハット形鋼矢板の断面においてそれぞれのフランジの中央を通る垂線の交点がハット形鋼矢板の溝断面外に位置するようにフランジ角度、すなわちフランジがウェブおよびアームとの間になす角度を設定することによって、打設時の排土圧を抑制して施工性を向上させる技術が記載されている。特許文献２にも、フランジ角度を最適化することによって貫入抵抗を最小化する技術が記載されている。また、特許文献３には、経済性指標と、鋼矢板下端での貫入抵抗を示す施工性指標とに基づいてフランジ角度を設定する技術が記載されている。特許文献４には、経済性評価指数と、打設時に鋼矢板下端に作用する閉塞抵抗の断面積に対する比を示す施工性評価指数との関係に基づいて、経済性および施工性のうち少なくとも一方の性能に優れた鋼矢板の断面形状を設定する技術が記載されている。
【先行技術文献】
【特許文献】
【０００３】
【特許文献１】特許第３４８８２３０号公報
【特許文献２】特許第３４８８２３３号公報
【特許文献３】特許第５７６４９４５号公報
【特許文献４】特開２０１４−１４８７９８号公報
【発明の概要】
【発明が解決しようとする課題】
【０００４】
上記の特許文献１から特許文献４に記載された技術は、いずれも、鋼矢板の地中での挙動に着目し、地盤に貫入させられた後に作用する貫入抵抗や閉塞抵抗をより小さくすることによって施工性を向上させることを目的としている。即ち、鋼矢板の施工性を評価する手法として、これまでは地盤内での鋼矢板挿入時のメカニズムのみに着目して、鋼矢板周辺の地盤抵抗や土粒子挙動との関係から、最適な鋼矢板形状を模索してきた。しかしながら、本発明者らが得た知見によれば、そのような鋼矢板の地中での挙動に加えて、打設中の地上部での挙動も施工性に影響する。つまり、実際の鋼矢板の打設は、鋼矢板が地盤内に打設されている状況と、地上部に突出している状況とが、併進するかたちで進行し、鋼矢板の施工性は、地盤内と地上部での鋼矢板の連成挙動の影響を受ける。具体的には、鋼矢板を継手で幅方向に連結しながら打設するときに、先行して打設された鋼矢板に継手を拘束された状態で打設されるハット形鋼矢板に断面内のねじり変形が発生することによって施工性が低下することがわかった。【０００５】
具体的には、ハット形鋼矢板にねじりやたわみなどの変形が生じると、打設時に鋼矢板下端以深や鋼矢板側面からの地盤から受ける貫入抵抗や、先行して打設された鋼矢板の継手との嵌合抵抗が増大する可能性がある。また、地上部においてハット形鋼矢板にたわみやねじれなどの変形が発生すると、バイブロハンマーなどの施工機が傾いたり揺動したりすることによって、本来はハット形鋼矢板を鉛直方向に振動させるために使われる施工機の振動エネルギーがハット形鋼矢板の水平方向の振動や回転挙動のエネルギーとして損失になり、結果としてハット形鋼矢板の地盤内への貫入速度が低下する可能性がある。施工機が傾いたり揺動してしまったりすると、鋼矢板頭部には水平方向の荷重が加わることになるため、鋼矢板のたわみやねじれ挙動が増長され、更に振動エネルギーの損失が増大する悪循環に陥る可能性がある。よって、鋼矢板の良好な施工性を確保するためには、地盤内挙動のみならず、地上部において、鋼矢板のたわみやねじれ変形を抑制することが重要となる。【０００６】
ところが、このような施工性の低下の原因になりうるハット形鋼矢板の地上部での挙動については、上記の特許文献１から特許文献４には記載されていない。鋼矢板の打設性を評価する上において、地盤内での挙動のみならず、地上部も含めて、鋼矢板全体挙動を見渡して、最適な鋼矢板断面形状を模索することは従来行われてこなかった。これは、１つには、鋼矢板の断面が小さい場合、施工機が鋼矢板を支持する位置が鋼矢板の断面重心から大きく偏心することがなく、従って地上部において施工性に影響するほどの鋼矢板のたわみやねじれなどの変形が生じにくかったためである。そのため、鋼矢板の施工性は、地盤からの抵抗が支配的であると考えられてきた。実際、鋼矢板が小型であれば、地上部において、打設時の鋼矢板の断面変形は顕著に露出することがなく、地上部での変形挙動と施工性との関連性には着目されず、両者の関連性に関する知見はなかった。しかしながら、近年、ハット形鋼矢板の大断面化によって、地上部におけるハット形鋼矢板のねじれやたわみなどの変形挙動が拡大し、施工性に影響する可能性が生じてきている。【０００７】
そこで、本発明は、ハット形鋼矢板の打設時に地上部で発生する断面内のねじり変形を低減することによって施工性を向上させることが可能な、新規かつ改良されたハット形鋼矢板および鋼矢板壁の製造方法を提供することを目的とする。
【課題を解決するための手段】
【０００８】
本発明のある観点によれば、ハット形鋼矢板は、長手方向に直交する断面において、奥行き方向の第１の側で幅方向に沿って延びるウェブと、ウェブの幅方向の両端部から幅方向の両側、かつ奥行き方向の第２の側に向かって延びる１対のフランジと、奥行き方向の第２の側で１対のフランジのそれぞれの端部から幅方向に沿って、かつ幅方向の両側に向かって延びる１対のアームと、１対のアームのそれぞれの１対のフランジとは反対側の端部に形成される嵌合継手とを備える。断面におけるハット形鋼矢板の断面積Ａｅ（ｃｍ２）と、ハット形鋼矢板の有効幅Ｗ（ｃｍ）と、ハット形鋼矢板の高さＨ（ｃｍ）とは、以下の式（ｉ）の関係を満たし、
有効幅Ｗは１１０ｃｍ以上である。
Ａｅ／（Ｗ・Ｈ）≧０．０４  ・・・（ｉ）【０００９】
上記のハット形鋼矢板では、有効幅Ｗが１３５ｃｍ以上であってもよく、高さＨが４５ｃｍ以下であってもよい。また、断面における断面積Ａｅ（ｃｍ２）と、有効幅Ｗ（ｃｍ）と、高さＨ（ｃｍ）とが、以下の式（ii）の関係を満たしてもよい。
Ａｅ／（Ｗ・Ｈ）≦０．０４８  ・・・（ii）【００１０】
本発明の別の観点によれば、上記のハット形鋼矢板を用いた鋼矢板壁の製造方法が提供される。鋼矢板壁の製造方法は、ハット形鋼矢板の嵌合継手のうちの一方のみを先行して打設された鋼矢板の嵌合継手に嵌合させながらハット形鋼矢板を地中に打設する工程を含んでもよい。【００１１】
上記の構成によれば、ハット形鋼矢板の打設時に地上部で発生する断面内のねじり変形を低減することによって施工性を向上させることができる。
【図面の簡単な説明】
【００１２】
【図１】本発明の一実施形態に係るハット形鋼矢板の断面図である。
【図２】図１に示されたハット形鋼矢板の嵌合継手における嵌合中心について説明するための図である。
【図３】打設時のハット形鋼矢板の境界条件を示す、先行矢板との嵌合状況、バイブロハンマーによるハット形鋼矢板の把持状況について概念的に説明するための図である。
【図４】打設時のハット形鋼矢板に発生する水平方向のねじり変形について概念的に説明するための図である。
【図５】本発明の比較例、実施例、および参考例を、有効幅Ｗを横軸、断面積Ａｅと有効幅Ｗおよび高さＨの積との比Ａｅ／（Ｗ・Ｈ）を縦軸としてプロットしたグラフである。
【図６】図５のグラフに示された実施例のうち、有効幅Ｗが１３５ｃｍ以上の例のみを抽出したグラフである。
【発明を実施するための形態】
【００１３】
以下に添付図面を参照しながら、本発明の好適な実施形態について詳細に説明する。なお、本明細書および図面において、実質的に同一の機能構成を有する構成要素については、同一の符号を付することにより重複説明を省略する。
【００１４】
図１は、本発明の一実施形態に係るハット形鋼矢板の断面図である。図１に示されるように、ハット形鋼矢板１は、長手方向（図中のｚ方向）に直交する断面において、奥行き方向の第１の側（図中のｙ方向の奥側）で幅方向（図中のｘ方向）に沿って延びるウェブ２と、ウェブ２の幅方向の両端部から幅方向の両側、かつ奥行き方向の第２の側（図中のｙ方向の手前側）に向かって延び、幅方向との間にフランジ角度θ（鋭角側）をなすフランジ３Ａ，３Ｂと、奥行き方向の第２の側でフランジ３Ａ，３Ｂのそれぞれの端部から幅方向に沿って、かつ幅方向の両側に向かって延びるアーム４Ａ，４Ｂと、アーム４Ａ，４Ｂのそれぞれのフランジ３Ａ，３Ｂとは反対側の端部に形成される嵌合継手５Ａ，５Ｂとを含む。
【００１５】
後述するように、この断面におけるハット形鋼矢板１の断面積（図中でハッチングされた領域の面積）Ａｅと、ハット形鋼矢板１の有効幅Ｗと、ハット形鋼矢板１の高さＨとは、以下の式（１）の関係を満たし、有効幅Ｗは１１０ｃｍ以上である。なお、有効幅Ｗは、断面における嵌合継手５Ａ，５Ｂのそれぞれの嵌合中心ＥＡ，ＥＢ間の距離に等しい。また、高さＨは、ハット形鋼矢板１の幅方向に一致するウェブ２の奥行き方向の第１の側（図中のｙ方向の奥側）の面と、同じくハット形鋼矢板１の幅方向に一致するアーム４Ａ，４Ｂの奥行き方向の第２の側（図中のｙ方向の手前側）の面との間の距離に等しい。
Ａｅ／（Ｗ・Ｈ）≧０．０４  ・・・（１）
【００１６】
なお、高さＨを規定する際の「アーム４Ａ，４Ｂの奥行き方向の第２の側の面」は、製造誤差などにより、必ずしも実際のアーム４Ａ，４Ｂの面に厳密には一致しない場合がある。しかしながら、このような場合であっても、例えば設計図面に示されたハット形鋼矢板１の断面ではアーム４Ａ，４Ｂの面が同一直線上にあり、この面を「アーム４Ａ，４Ｂの奥行き方向の第２の側の面」として特定することができる。この場合、設計図面に示されたアーム４Ａ，４Ｂの延びる方向は、ハット形鋼矢板１の幅方向に一致する。また、施工後に地中に打ち込まれたハット形鋼矢板１では、施工時などのアーム４Ａ，４Ｂの変形によって、例えば地上に露出しているハット形鋼矢板１の頭部端面において「アーム４Ａ，４Ｂの奥行き方向の第２の側の面」が必ずしも実際のアーム４Ａ，４Ｂの面に厳密には一致しない場合がある。しかしながら、この場合も、例えば打設前の状況を示す設計図面で同一直線上に示されたアーム４Ａ，４Ｂの面を「アーム４Ａ，４Ｂの奥行き方向の第２の側の面」として特定することができる。設計図面によらない場合、地上に露出しているハット形鋼矢板１の頭部端面において、アーム４Ａ，４Ｂのそれぞれの端部に位置する嵌合中心ＥＡ，ＥＢを結ぶ直線をアーム４Ａ，４Ｂの設計上の板厚中心線とし、この直線を奥行き方向の第２の側へアーム４Ａ，４Ｂの板厚の半分だけ平行移動させることによって「アーム４Ａ，４Ｂの奥行き方向の第２の側の面」を特定することができる。
【００１７】
なお、図１に示されたハット形鋼矢板１の形状が幾何学的に成り立つ場合、アーム長さＢａ、有効幅Ｗ、ウェブ長さＢｗ、高さＨおよびフランジ角度θは、Ｗ−Ｂｗ−２Ｈ／tanθ＞０の関係を満たしている。
【００１８】
図２は、図１に示されたハット形鋼矢板の嵌合継手における嵌合中心について説明するための図である。図示されているように、ハット形鋼矢板１の嵌合継手５Ａには、隣接して打設される別のハット形鋼矢板１の嵌合継手５Ｂが嵌合する。嵌合継手５Ａの嵌合中心ＥＡは、これに嵌合するアーム４Ｂおよび嵌合継手５Ｂを仮想的に配置した場合に、嵌合継手５Ａが形成されるアーム４Ａの端部位置と、仮想的な嵌合継手５Ｂが形成されるアーム４Ｂの端部位置との中間に位置する、アーム４Ａおよびアーム４Ｂの設計上の板厚中心線上の点として定義することができる。ハット形鋼矢板１の反対側に位置する嵌合継手５Ｂの嵌合中心ＥＢも、同様に定義することができる。上述のように、嵌合中心ＥＡ，ＥＢ間の距離は、ハット形鋼矢板１の有効幅Ｗに等しい。
【００１９】
図３および図４は、打設時のハット形鋼矢板に発生する水平方向のねじり変形について概念的に説明するための図である。図３に示されるように、ハット形鋼矢板１は、上端でフランジ３Ａ，３Ｂを挟み込むバイブロハンマー６から加えられる鉛直方向の荷重によって打設される。バイブロハンマー６は、ハット形鋼矢板１を安定支持するために、奥行き方向（図中のｙ方向）の位置が断面の図心Ｃにほぼ一致するように配置される。
【００２０】
ここで、地表面近くには先行して打設されたハット形鋼矢板１Ｐがあり、ハット形鋼矢板１はハット形鋼矢板１Ｐの嵌合継手５Ｂに嵌合継手５Ａを嵌合させながら打設される。従って、地表面近くでは、ハット形鋼矢板１の嵌合継手５Ａは、ハット形鋼矢板１Ｐの嵌合継手５Ｂによって水平方向の変位を拘束される。嵌合継手５Ａは、嵌合継手５Ｂと嵌合中心ＥＡの近傍の複数の点で接触することによって水平方向の変位を拘束される。従って、ハット形鋼矢板１は、地上部に突出した長手方向下側の部分において、嵌合継手部と地盤からの拘束を受けることになる。これに対して、バイブロハンマー６による荷重の作用点である図心Ｃが上記のような水平方向の変位の拘束点から離れて位置するため、ハット形鋼矢板１には断面をねじる方向の曲げモーメントが発生する。
【００２１】
ここで、嵌合中心ＥＡと図心Ｃとの間の距離は、ハット形鋼矢板１の幅方向（図中のｘ方向）および奥行き方向（図中のｙ方向）の間で異なるため、それぞれの方向に発生する曲げモーメントの大きさは異なる。また、それぞれの方向でのハット形鋼矢板１の断面二次モーメントも異なるため、それぞれの方向に発生するたわみに差が生じ、断面内にねじり変形が発生する。ハット形鋼矢板１の上端および下端はバイブロハンマー６および地盤によってそれぞれ拘束されているため、上記の曲げモーメントによって、ハット形鋼矢板１には反りねじりに比べて純ねじりが卓越して発生する。図４に示されるように、ハット形鋼矢板１の断面内の任意の点を中心とする純ねじりのねじり角φは、以下の式（２）で表される。なお、Ｍｔは純ねじりの中心回りの曲げモーメント、Ｇはハット形鋼矢板１のせん断弾性係数、Ｊはハット形鋼矢板１の断面ねじりモーメントである。
φ＝Ｍｔ／（Ｇ・Ｊ）  ・・・（２）
【００２２】
一般に、嵌合継手５Ａ，５Ｂは、ある程度のねじり角φを許容するように設計されている。しかしながら、φが大きくなると、打設されるハット形鋼矢板１の嵌合継手５Ａと先行して打設されているハット形鋼矢板１Ｐの嵌合継手５Ｂとの間に発生する摩擦が増大することによって嵌合継手５Ａ，５Ｂに損傷が発生したり、打設時の抵抗が増大したりすることによって施工性が低下する可能性がある。
【００２３】
ここで、ハット形鋼矢板１の断面の経済性の観点からは、有効幅Ｗを拡大しつつ薄肉とすることが有利である。しかしながら、薄肉とすると曲げモーメントに抵抗する断面積が減り、曲げモーメントに抵抗する断面ねじりモーメントが小さくなりねじり剛性が縮小し、これに伴ってねじり角φも大きくなる。それゆえ、ある一定以上の断面積を確保することが有効である。有効幅Ｗを拡大する場合には、単一のハット形鋼矢板１が占める有効幅と高さの範囲内において、ウェブ２、フランジ３Ａ，３Ｂ、およびアーム４Ａ，４Ｂの板厚によって断面ねじりモーメントＪを確保する必要があるが、板厚を大きくすると断面の経済性が低下するため、どの程度の板厚が必要であるかを示す簡便な指標があることが望ましい。
【００２４】
本発明者らは、上記の点に鑑み、有効幅Ｗを従来のハット形鋼矢板よりも拡大しながら、ねじり角φを従来のハット形鋼矢板よりも低減することができるハット形鋼矢板１の断面形状の指標を、ハット形鋼矢板として、長手方向の上下端において長手方向への変位が固定され、長手軸方向まわりに断面を回転させるモーメントに対して、薄肉開断面に対する純ねじりがハット形鋼矢板１の長手方向の地上部に発生している状態を適用することで検討した。以下の検討は、ウェブ２、フランジ３Ａ，３Ｂ、およびアーム４Ａ，４Ｂの板厚を反映するパラメータとして断面積Ａｅ、また曲げモーメントＭｔの大きさを反映するパラメータとしてハット形鋼矢板１の有効幅Ｗおよび高さＨをそれぞれ用いることによって、ねじり角φを低減できるハット形鋼矢板１の断面形状の条件を簡便に特定することを意図している。
【００２５】
表１〜表４に検討の結果を示す。検討は、ハット形鋼矢板１を幅方向に連結した壁体の壁幅１ｍあたりの断面二次モーメントＩＷが１００００ｃｍ４／ｍレベル、２５０００ｃｍ４／ｍレベル、４５０００ｃｍ４／ｍレベル、および５００００ｃｍ４／ｍレベルの場合のそれぞれについて行い、比較例１〜比較例４として示す従来のハット形鋼矢板よりもねじり角φが低減された例を実施例１〜実施例２１として、従来のハット形鋼矢板よりもねじり角φが増大した例を参考例１〜参考例１４として、それぞれ示した。なお、上述の通り、本実施形態では有効幅Ｗを従来のハット形鋼矢板よりも拡大することが意図されているため、実施例１〜実施例２１ではいずれもハット形鋼矢板１の有効幅Ｗが１１０ｃｍ以上である。また、表１〜表４に示されたウェブ厚さｔｗ（ｃｍ）、ウェブ幅Ｂｗ（ｃｍ）、およびアーム幅Ｂａ（ｃｍ）が表す寸法は、図１に示されている。上記のように、従来のハット形鋼矢板に比べて、ねじれの少ない鋼矢板としての性能を満たし、かつ経済的メリットも追及するためにハット形鋼矢板１の有効幅Ｗを拡大する場合、造形性等の観点から生産性を確保するために高さＨは有効幅Ｗに対して小さい範囲に収めることが望ましく、高さを４５ｃｍ以下に抑えた断面を追及している。それゆえ、実施例１〜実施例２１において高さＨは４５ｃｍ以下である（最も大きいのは実施例２１でＨ＝４０．２ｃｍ）。有効幅が広く高さが低くても、有効幅と高さに対する断面積の比を所定内に設定することで、所定の耐ねじれ性能を満たす断面を形成することを目指している。
【００２６】
【表１】
2020045114.tif 000003
【００２７】
【表２】
2020045114.tif 000004
【００２８】
【表３】
2020045114.tif 000005
【００２９】
【表４】
2020045114.tif 000006
【００３０】
図５は、上記の比較例１〜比較例４、実施例１〜実施例２１、および参考例１〜参考例１４を、有効幅Ｗ（ｃｍ）を横軸、断面積Ａｅと有効幅Ｗおよび高さＨの積との比Ａｅ／（Ｗ・Ｈ）を縦軸としてプロットしたグラフである。
【００３１】
ここで、図５のグラフの軸として設定した、ハット形鋼矢板の断面緒元を用いた指標について説明する。ハット形鋼矢板にねじりを発生させる曲げモーメントは、嵌合中心ＥＡと図心Ｃとの間の幅方向および奥行き方向それぞれの距離に比例して大きくなる。ねじり角φの大きさは、曲げモーメントに比例し、断面ねじりモーメントに反比例する。そこで、曲げモーメントの大きさに関して、嵌合中心ＥＡと図心Ｃとの間の幅方向および奥行き方向それぞれの距離を表す指標として、鋼矢板断面の有効幅Ｗと高さＨを用い、両指標の効果を同時に含めるために両指標の積を用いた。また、断面ねじりモーメントの大きさを表す指標として、断面積Ａｅを用いた。
【００３２】
圧延可能な所定の面積の範囲内で、経済的な鋼矢板断面積Ａｅとするためには、当該面積に対する鋼矢板断面積Ａｅが小さいことが好ましい。圧延可能な所定の面積は、圧延後の鋼矢板の最終形状である、有効幅Ｗと高さＨとの積に比例する。そのため、Ａｅ／（Ｗ・Ｈ）は、鋼矢板断面の経済性を示す一つの指標になる。つまり、Ａｅ／（Ｗ・Ｈ）は、上記のようにねじり角φの大きさを判断する指標にもなり、かつ経済性を評価する指標にもなり得る。図５のグラフは、断面積Ａｅ、有効幅Ｗおよび高さＨの３つの項目だけで２つの指標を評価できる簡便な指標であるＡｅ／（Ｗ・Ｈ）を縦軸としている。
【００３３】
具体的には、ねじり角φを小さくするためには、Ａｅ／（Ｗ・Ｈ）の値を大きくすることが有利であり、経済的な断面とするためには、Ａｅ／（Ｗ・Ｈ）の値を小さくすることが有利である。つまり、Ａｅ／（Ｗ・Ｈ）の値を大きくし過ぎると、ねじり角φは小さくなるものの経済性が悪化し、逆にＡｅ／（Ｗ・Ｈ）の値を小さくし過ぎると、経済性は良好となるもののねじり角φは大きくなる。Ａｅ／（Ｗ・Ｈ）の指標を用いることで、ねじり角φの低減と経済性とのバランスを図ること、即ち施工性と経済性の両者を同時に簡便に判断することができる。
【００３４】
一方、ハット形鋼矢板を経済的な断面とするためには、広幅化することが有効となる。ウェブ幅を大きくでき、所定幅に占めるフランジ部の面積割合を小さくできるので、より少ない断面積で、所定幅当たりの断面２次モーメント即ち曲げ剛性を確保できるためである。そこで、図５のグラフでは、曲げ剛性に対する経済性を評価することも視野に入れて、有効幅Ｗを横軸としている。
【００３５】
上述したような図５のグラフにおいて、比較例１〜比較例４は点Ｐ１〜Ｐ４として示されており、実施例１〜実施例２１は点Ｅ１〜Ｅ２１として示されており、参考例１〜参考例１４は点Ｒ１，Ｒ１１〜Ｒ１４および点Ｒ２〜Ｒ１０のグループに分けて示されている。実施例を示す点Ｅ１〜Ｅ２１は、Ａｅ／（Ｗ・Ｈ）≧０．０４の範囲に含まれる。これに対して、参考例を示す点Ｒ２〜Ｒ１０はＡｅ／（Ｗ・Ｈ）＜０．０４の範囲にある。一方、比較例を示す点Ｐ１〜Ｐ４および参考例を示す点Ｒ１，Ｒ１１〜Ｒ１４は、Ｗ＜１１０ｃｍの範囲にある。従って、上記の結果から、有効幅Ｗが１１０ｃｍ以上である場合にねじり角φを低減できるハット形鋼矢板１の断面形状の条件として、以下の式（１）を特定することができる。
Ａｅ／（Ｗ・Ｈ）≧０．０４  ・・・（１）
【００３６】
ここで、幅が拡大された、いわゆる薄肉大断面のハット形鋼矢板について、製造性を考慮した場合にはよりコンパクトな断面とすることが好ましい。この観点では、上記で検討した実施例のうち、ハット形鋼矢板１を幅方向に連結した壁体の壁幅１ｍあたりの断面二次モーメントＩＷが２５０００ｃｍ４／ｍレベル以下のもの、すなわち実施例１〜実施例８がより好適である。実施例１〜実施例８では、上記の式（１）に加えて、以下の式（２）が満たされる。
Ａｅ／（Ｗ・Ｈ）≦０．０４８  ・・・（２）
【００３７】
図６は、図５のグラフに示された実施例１〜実施例２１のうち、より広幅の、有効幅Ｗが１３５ｃｍ以上の例のみを抽出したグラフである。具体的には、実施例２〜実施例７、実施例１３〜実施例１８、実施例２０、および実施例２１が抽出されている。図５のグラフと同様に、図６のグラフでも、点Ｅ２〜Ｅ７，Ｅ１３〜Ｅ１８，Ｅ２０，Ｅ２１はＡｅ／（Ｗ・Ｈ）≧０．０４の範囲に含まれる。ここで、上記の表１、表３および表４に示されるように、実施例２〜実施例７、実施例１３〜実施例１８、実施例２０、および実施例２１は、有効幅Ｗが１３５ｃｍ以上であるのに加えて、ねじり角φ（従来との比）が０．９５未満、すなわち従来のハット形鋼矢板の９５％未満にまで低減され、他の例よりもねじり角φの低減幅が大きい例でもある。打設中のハット形鋼矢板に発生するねじり変形は、先行して地中に打設されたハット形鋼矢板の継手との嵌合性を悪化させる。ここで、ハット形鋼矢板継手の嵌合角度の裕度は、通常の場合、±４度以下と非常に狭い範囲で製造されており、たとえある長手方向の異なる深度の断面間のねじり角度差がわずか１度未満であるような状況においても、ハット形鋼矢板長手方向に亘りねじり量が蓄積され、嵌合抵抗増大につながりやすい。従って、たとえ非常に小さい量であってもねじれ量を低減することは有用であるが、例えばねじれ量を５％でも低減できれば、後から打設されるハット形鋼矢板の打設中のねじり変形に伴う先行する鋼矢板の継手との接触抵抗をより少なくすることができるようになり、施工性に与える影響をより効果的に縮小することができる。従って、上記の式（１）は、ねじり角φ（従来との比）が０．９５未満になる、有効幅Ｗが１３５ｃｍ以上のハット形鋼矢板１について、ねじり角φを顕著に低減できる断面形状の条件としてより有利に適用できる。
【００３８】
以上で説明したような本発明の実施形態によれば、打設時に発生する断面内のねじり変形が効果的に低減される断面形状のハット形鋼矢板が提供される。このようなハット形鋼矢板は、例えばハット形鋼矢板の１対の嵌合継手のうちの一方のみを先行して打設された鋼矢板の嵌合継手に嵌合させながらハット形鋼矢板を地中に打設する工程を含む鋼矢板壁の製造方法において、特に有利である。このような鋼矢板壁の製造方法では、ハット形の鋼矢板の一方の継手が先行して打設された鋼矢板の継手に嵌合している位置に対して施工機が鋼矢板を支持して鉛直振動荷重を加える位置が偏心しているためハット形鋼矢板にねじり変形を発生させるモーメントが生じやすいが、本発明の実施形態を適用することによってねじり変形を効果的に抑制することができる。
【００３９】
ハット形鋼矢板のねじり変形を抑制することによって、施工機からの打設エネルギーが少ない損失で施工重機能力を効率よく活用した状態でハット形鋼矢板に伝達され、ハット形鋼矢板の地盤内への貫入速度を高く保つことができるとともに、施工重機の燃費効率のよい経済的な施工が可能になる。また、ハット形鋼矢板のねじり変形を抑制することによって打設中のハット形鋼矢板のばたつきが小さくなり、施工に伴う騒音や振動を低減させることができる。ハット形鋼矢板の大断面化によって施工機が大型化すると騒音や振動も大きくなる可能性があるが、ハット形鋼矢板のねじり変形を抑制することによって、騒音や振動を抑制した施工が可能になる。
【００４０】
また、ハット形鋼矢板のねじり変形を抑制することによって、先行して打設された鋼矢板の継手との嵌合抵抗を小さくすることができるため、ハット形鋼矢板全体の打設時の抵抗を小さくすることができ、また継手の接触面での削れや溶着を防止することができる。
【００４１】
以上、添付図面を参照しながら本発明の好適な実施形態について詳細に説明したが、本発明はかかる例に限定されない。本発明の属する技術の分野における通常の知識を有する者であれば、請求の範囲に記載された技術的思想の範疇内において、各種の変更例または修正例に想到し得ることは明らかであり、これらについても、当然に本発明の技術的範囲に属するものと了解される。
【符号の説明】
【００４２】
１…ハット形鋼矢板、２…ウェブ、３Ａ，３Ｂ…フランジ、４Ａ，４Ｂ…アーム、５Ａ，５Ｂ…嵌合継手、６…バイブロハンマー、ＥＡ，ＥＢ…嵌合中心。
【図１】
2020045114.tif 000007
【図２】
2020045114.tif 000008
【図３】
2020045114.tif 000009
【図４】
2020045114.tif 000010
【図５】
2020045114.tif 000011
【図６】
2020045114.tif 000012
【国際調査報告】
2020045114.tif 000013
2020045114.tif 000014
2020045114.tif 000015
2020045114.tif 000016